(57)【特許請求の範囲】
【請求項１】
コンバータ部により電源電圧変換を行い負荷に電力を供給する照明点灯装置であって、
前記負荷の順電圧を検出する負荷電圧検出部と、
前記負荷電圧検出部が検出した前記順電圧に基づいて、前記負荷に流す電流値を設定する負荷電流設定部と、
前記負荷電流設定部で設定された電流値に基づいて、前記コンバータ部を制御する負荷電流制御部と、を備え、
前記負荷電流設定部は、
接続可能な複数の負荷の各々に対応する複数の電圧値および電流値の組み合わせを記憶する第１の負荷データ記憶部と、
前記第１の負荷データ記憶部に記憶された複数の電流値のうちの最小電流値を設定する最小負荷電流設定部と、
前記最少電流値を流した場合に、接続可能な複数の負荷の各々が示す複数の電圧値および電流値の組み合わせを記憶する第２の負荷データ記憶部と、
前記第２の負荷データ記憶部に記憶された電圧値および電流値の組み合わせ、および接続されている負荷に前記最小電流値を流した場合に、前記負荷電圧検出部が検出する電圧に基づいて、接続されている負荷を特定する負荷特定部と、
を備える照明点灯装置。
【請求項２】
請求項１に記載の照明点灯装置であって、
前記第１および第２の負荷データ記憶部は、接続可能な複数の負荷に照明に必要な電流より少ない電流を流した場合の複数の電圧値および電流値の組み合わせを記憶し、
前記最小負荷電流設定部は、照明に必要な電流より少ない電流値を設定し、
前記負荷特定部は、接続されている負荷に照明に必要な電流より少ない電流を流した場合に、前記負荷電圧検出部が検出する電圧に基づいて、接続されている負荷を特定する照明点灯装置。
【請求項３】
請求項２に記載の照明点灯装置であって、
前記最小負荷電流設定部は、照明に必要な電流より少ない２つ以上の電流値を設定し、
前記負荷特定部は、接続されている負荷に照明に必要な電流より少ない２つ以上の電流を流した場合に、前記負荷電圧検出部が検出する２つ以上の電圧に基づいて、接続されている負荷を特定することを特徴とする請求項２に記載の照明点灯装置。
【請求項４】
請求項１から３のいずれか１項に記載の照明点灯装置であって、
前記負荷電圧検出部は、直列接続された全部の負荷に対応する第１の順電圧、および直列接続された一部の負荷に対応する第２の順電圧を検出し、
前記負荷電圧検出部が検出する前記第１および第２の順電圧に基づいて、接続されている負荷を特定する照明点灯装置。
【請求項５】
請求項１から４のいずれか１項に記載の照明点灯装置であって、
前記負荷電流制御部は、電源供給開始から１００ｍＳ以内に接続されている負荷を特定し、特定した負荷に照明に必要な電流を供給する照明点灯装置。
【発明の詳細な説明】
【技術分野】
【０００１】
本発明は、照明点灯装置に関し、特に、接続された負荷に所定の最小負荷電流を流し、接続された負荷の種類を自動的に特定し、特定した負荷に最適な制御を行なうことができる照明点灯装置に関する。
【背景技術】
【０００２】
近年、ハロゲンランプや放電ランプなどに代えて発光ダイオードが自動車の車内灯（ルームランプ）や前照灯（ヘッドライト）や尾灯（リアコンビネーションランプ）、あるいは欧州などで採用が進んでいるデイタイム・ランニング・ライト（昼間に対向車などからの視認性を高めるための前照灯）などの光源に利用されつつある。
【０００３】
車両用灯具は、直射日光の当たる屋外等の、温度条件が厳しい場所で用いられる場合があるため、車両用灯具の温度上昇に応じて、灯具内の半導体発光素子に与える電流を、適切に制御する必要がある。そこで、光源列が有する光源の温度変化に応じて、適切な電流を光源に供給することにより、光源の過熱を防止する車両用灯具が提案されている（例えば、特許文献１参照）。
【特許文献１】特開２００４−３３０９２７号公報
【発明の開示】
【発明が解決しようとする課題】
【０００４】
しかしながら、特許文献１には、照明に必要な電流よりも小さな検知電流を用いて、その順電圧に応じて半導体発光素子の供給電流の大きさを設定し、その設定電流を供給する検討はなされているが、異なる負荷に応じた制御に対応する記述はない。
【０００５】
車両用前照灯装置において、夜間運転時にドライバーの視界を確保するために、光源である半導体発光素子（ＬＥＤ；Light Emitting Diode）は、より多くの光束量がもとめられており、ＬＥＤメーカ毎に仕様の異なるＬＥＤ光源が開発され、照明点灯装置はその仕様に応じた商品開発が行われ多くの開発工数を必要としている。従って、照明点灯装置の品種は増えるが同一品種の数量が少なくなりコストが高くなっている。
【０００６】
ＬＥＤ光源は負荷電流を低減するために直列接続される構成が主流で、バッテリー電圧以上の順電圧が生じるため、照明点灯装置に昇圧機能が必要である。一方、ＬＥＤ光源は、光源自体が従来のハロゲンやＨＩＤ（High Intensity Discharge）よりも小さいことから灯体の小型化が図れるとともに、単一光源から複数光源まで灯体に柔軟にレイアウトでき、斬新な灯体デザインが期待されている。
【０００７】
本発明は、上記従来の事情に鑑みてなされたものであって、接続された負荷に所定の最小負荷電流を流し、接続された負荷の種類を自動的に特定し、特定した負荷に最適な制御を行なうことを可能とし、開発工数を削減して低コスト化を図るとともに、灯体のデザイン性向上を図ることができる照明点灯装置を提供することを目的としている。
【課題を解決するための手段】
【０００８】
本発明の照明点灯装置は、コンバータ部により電源電圧変換を行い負荷に電力を供給する照明点灯装置であって、前記負荷の順電圧を検出する負荷電圧検出部と、前記負荷電圧検出部が検出した前記順電圧に基づいて、前記負荷に流す電流値を設定する負荷電流設定部と、前記負荷電流設定部で設定された電流値に基づいて、前記コンバータ部を制御する負荷電流制御部と、を備え、前記負荷電流設定部は、接続可能な複数の負荷の各々に対応する複数の電圧値および電流値の組み合わせを記憶する第１の負荷データ記憶部と、前記第１の負荷データ記憶部に記憶された複数の電流値のうちの最小電流値を設定する最小負荷電流設定部と、前記最少電流値を流した場合に、接続可能な複数の負荷の各々が示す複数の電圧値および電流値の組み合わせを記憶する第２の負荷データ記憶部と、前記第２の負荷データ記憶部に記憶された電圧値および電流値の組み合わせ、および接続されている負荷に前記最小電流値を流した場合に、前記負荷電圧検出部が検出する電圧に基づいて、接続されている負荷を特定する負荷特定部とを備える照明点灯装置。
ものである。
【０００９】
上記構成によれば、接続されている負荷に最小電流値を流した場合に、負荷電圧検出部が検出する電圧に基づいて接続されている負荷を特定するので、特定した負荷に最適な制御を行なうことができる。
【００１０】
また、本発明の照明点灯装置において、前記第１および第２の負荷データ記憶部は、接続可能な複数の負荷に照明に必要な電流より少ない電流を流した場合の複数の電圧値および電流値の組み合わせを記憶し、前記最小負荷電流設定部は、照明に必要な電流より少ない電流値を設定し、前記負荷特定部は、接続されている負荷に照明に必要な電流より少ない電流を流した場合に、前記負荷電圧検出部が検出する電圧に基づいて、接続されている負荷を特定する。
【００１１】
上記構成によれば、接続されている負荷に照明に必要な電流より少ない電流を流した場合に、負荷電圧検出部が検出する電圧に基づいて接続されている負荷を特定するので、負荷の発熱が下がり、温度によるばらつきが少なくなり精度よく負荷を検出することが可能である。
【００１２】
また、本発明の照明点灯装置において、前記最小負荷電流設定部は、照明に必要な電流より少ない２つ以上の電流値を設定し、前記負荷特定部は、接続されている負荷に照明に必要な電流より少ない２つ以上の電流を流した場合に、前記負荷電圧検出部が検出する２つ以上の電圧に基づいて接続されている負荷を特定する。
【００１３】
上記構成によれば、少なくとも２水準の負荷検出電流を通電することで、精度よく負荷を検出することが可能になる。特に異なる負荷の順電圧が近接している場合に精度よく判別が可能になる。
【００１４】
また、本発明の照明点灯装置において、前記負荷電圧検出部は、直列接続された全部の負荷に対応する第１の順電圧、および直列接続された一部の負荷に対応する第２の順電圧を検出し、前記負荷電圧検出部が検出する前記第１および第２の順電圧に基づいて、接続されている負荷を特定する。
【００１５】
上記構成によれば、負荷全体の第１の順電圧と一部負荷の第２の順電圧とに基づいて接続されている負荷を特定するので、検出される電圧のばらつき幅（ばらつきの総和の電圧）が小さくなり、より精度よく負荷を検出することが可能になる。
【００１６】
また、本発明の照明点灯装置において、前記負荷電流制御部は、電源供給開始から１００ｍＳ以内に接続されている負荷を特定し、特定した負荷に照明に必要な電流を供給する。
【００１７】
上記構成によれば、負荷判定にかかる時間を短くすることで安全性を向上させることができ、例えば、夕暮れ時やトンネル進入時の走行安全性を向上することができる。
【発明の効果】
【００１８】
以上説明したように、本発明にかかる照明点灯装置によれば、異なる複数の負荷を１ユニットで制御できるので照明点灯装置の品種削減ができるとともに低コスト化が図れ、また負荷の検出を自動制御でき、工程作業が簡易になり、工数削減を図ることができる。
【００１９】
さらに、複数の負荷を１ユニットで制御できるので照明点灯装置の灯体レイアウト（取付）が共有でき、光源のレイアウトの幅が広がるので灯体への汎用性が向上し、灯体への設計負担の低減を図ることができる。また、精度よく負荷を検出することが可能である。
【発明を実施するための最良の形態】
【００２０】
以下、本発明の実施の形態について、図面を参照しながら詳細に説明する。
【００２１】
（実施の形態１）
図１は、本実施形態にかかるフライバックコンバータ構成の照明点灯装置の概略構成を説明するための図ある。コンバータ部を構成するフライバックコンバータは、電源からの電力エネルギーを、スイッチング素子のオン・オフ操作により、トランスに蓄積した後、放出し、トランスの１次側から２時側へ電力エネルギーを伝達するコンバータ回路である。本実施形態のフライバックコンバータは、トランスＴ、スイッチング素子ＳＷ、ダイオードＤ、平滑コンデンサＣを備えている。
【００２２】
フライバックコンバータの作用の概略は次の通りである。所定期間においてスイッチング素子ＳＷがオンになることにより、電源Ｅからの電力に基づくエネルギーがトランスＴに蓄積される。トランスＴにおいて、二つの黒丸はコイルの巻き始める方向を示しており、１次側のコイルと２次側のコイルは互いに逆の関係になっている。そのため、スイッチング素予ＳＷがオフになると、トランスＴの２次側から蓄積されたエネルギーが放出され、ダイオードＤを介して平滑コンデンサＣに充電される。後述する負荷ＲＤには主に平滑コンデンサＣから電力が供給される。
【００２３】
フライバックコンデンサには、負荷電圧検出部８を介して負荷ＲＤが接続される。負荷ＲＤは少なくとも１つ以上の半導体発光素子（ＬＥＤ）から構成される。負荷ＲＤに流れる電流を、平滑コンデンサＣに接続された負荷電流検出部５（抵抗Ｒ１）が出力電流信号として検出し、負荷電流制御部４に出力する。負荷電流制御部４は、直列接続されたＰＷＭ（Pulse Width Modulation）信号発生回路１、誤差演算回路２、増幅回路３とから構成される。
【００２４】
負荷電流検出部５から出力された電流信号を、増幅回路３が出力電圧信号として増幅したのち、誤差演算回路２が、増幅された出力電圧信号と基準電圧Ｖｒｅｆと比較し、その比較結果をＰＷＭ指令信号としてＰＷＭ信号発生回路１に入力する。ＰＷＭ信号発生回路１は、誤差演算回路２からのＰＷＭ指令信号に基づき、所定のＰＷＭ信号を発生させ、スイッチング素子ＳＷにオン・オフ制御信号として供給し、出力調整を行なうようにフィードバック制御系（負荷電流制御部４、基準電圧設定部６、負荷電流設定部７、負荷電圧検出部８）が構成されている。
【００２５】
本実施の形態では、負荷電流制御部４は、増幅回路３としてオペアンプＡｍｐ２と周辺の抵抗Ｒ１２，Ｒ１３，Ｒ１４で構成される差動増幅回路を使用し、誤差演算回路２としてオペアンプＡｍｐ１と周辺の抵抗Ｒ１０，Ｒ１１及びコンデンサＣ１０で構成される比例積分回路を使用している。
【００２６】
また、ＰＷＭ信号発生回路１はコンパレータＣｏｍｐ１と発振器ＯＳＣ１から構成され、 発振器ＯＳＣ１が発生する三角波と指令値をコンパレータＣｏｍｐ１で比較した結果をＰＷＭ出力する構成としている。
【００２７】
上記フライバックコンバータ構成の照明点灯装置において、照明に必要な光を出力するための負荷電流Ｉ１を負荷ＲＤに供給すると負荷ＲＤに順電圧Ｖ０が発生する。この電圧Ｖ０を負荷電圧検出部８（例えば抵抗Ｒ２，Ｒ３）が検出し、分圧された検出電圧Ｖ１を負荷電流設定部７に入力する。
【００２８】
図２は、本実施形態における負荷電流設定部７の概略構成を説明するための図である。負荷電流設定部７には、接続される可能性がある異なる複数の負荷ＲＤのデータが、負荷データ記憶部２０ａ，２０ｂに保管されている。保管される負荷データには、少なくとも照明に必要な光を出力する負荷電流Ｉ１と、負荷を特定するために流す最小負荷電流Ｉ’１と、最小負荷電流Ｉ’１を流すための電圧信号Ｖｉ’１と、最小負荷電流Ｉ’１を供給した際に生じる各負荷の電圧降下である負荷検出電圧範囲Ｖ’２が含まれる。
【００２９】
電源Ｅがフライバックコンバータに入力されると、負荷電流設定部７の最小負荷電流設定部３０は、負荷データ記憶部２０ａに記憶されている負荷電流Ｉ１の最も小さい電流を負荷検出電流Ｉ’１として設定し、表１に従って電圧信号Ｖｉ’１に変換して基準電圧設定部６に入力し、点灯制御（負荷ＲＤの負荷検出電流Ｉ’１を供給）を行なう。
【００３０】
【表１】
0005311624.tif 000002
【００３１】
表１は、負荷検出電流Ｉ’１＝Ｉａ（最小負荷電流；後述する図４の例）を電圧信号Ｖｉ’１に変換し、基準電圧設定部６に入力する場合の変換過程を示す。
【００３２】
図３は、本実施形態の照明点灯装置に接続可能な異なる複数の負荷の例を示す。すなわち、２つのＬＥＤが直列に接続された負荷ＲＤｂ、３つのＬＥＤが直列に接続された負荷ＲＤａ、４つのＬＥＤが直列に接続された負荷ＲＤｃを示す。これらの異なる複数の負荷は照明点灯装置に接続可能であり、従来の照明装置の場合は、照明装置自体で接続された負荷を特定することができないため、接続された負荷に一律に定電流制御による規定電流を流していた。
【００３３】
従って、例えば、照明装置が図３（ｂ）に示す負荷ＲＤａに対して規定の明るさになるように設定されている場合、図３（ａ）に示す負荷ＲＤａが接続された場合には明るさが不足し、図３（ｃ）に示す負荷ＲＤｃが接続された場合には明るくなりすぎて消費電力が増大するため、定電流制御の規定電流を再設定しなければならなかった。本実施形態の照明点灯装置は、接続された負荷を自動的に特定し、特定した負荷に最適な規定電流を自動的に設定するものである。
【００３４】
図４は、照明に必要な光を出力するための各負荷電流Ｉ１と、負荷電流Ｉ１を供給した際の負荷検出電圧Ｖ１の関係を示す。すなわち、負荷ＲＤｂに負荷電流Ｉｂを供給すると負荷検出電圧Ｖｂ１−Ｖｂ２（Ｖｂ１〜Ｖｂ２の間）となり、負荷ＲＤａに負荷電流Ｉａを供給すると負荷検出電圧Ｖａ１−Ｖａ２となり、負荷ＲＤｃに負荷電流Ｉｃを供給すると負荷検出電圧Ｖｃ１−Ｖｃ２となる。本実施の形態では、負荷を特定するために負荷に流す負荷検出電流Ｉ’１は、負荷電流Ｉａ，Ｉｂ，Ｉｃのうちの最小電流Ｉａが選択される。
【００３５】
図５は、負荷検出電流Ｉ’１＝Ｉａ（最小負荷電流）を負荷ＲＤに供給した際の負荷検出電圧Ｖ’１と負荷特定部４０の負荷データ記憶部２０ｂに記憶されるＶ’２の関係を示す。また、表２は、負荷検出電圧Ｖ’１、負荷検出電圧範囲Ｖ’２、負荷ＲＤおよび所定負荷電圧信号Ｖｉ１の関係を示す。
【００３６】
【表２】
0005311624.tif 000003
【００３７】
接続された負荷ＲＤに最小電流Ｉａを流した場合に、負荷ＲＤに生じた負荷検出電圧Ｖ’１を、負荷電流設定部７の負荷特定部４０が、負荷データ記憶部２０ｂに保管されている各負荷の負荷検出電圧範囲Ｖ’２と比較する。比較した結果、負荷特定部４０は、Ｖ’１の電圧Ｖｘ０が特定負荷ＲＤの電圧範囲内にあることで、負荷を特定する。さらに負荷特定部４０は、その負荷ＲＤの照明に必要な負荷電流Ｉ１を所定負荷電圧信号Ｖｉ１に変換し、基準電圧設定部６に入力し点灯制御を行なう。
【００３８】
図６は、本実施形態にかかる照明点灯装置の動作を説明するためのフローチャートを示す。ここでは、照明点灯装置に３種類の負荷ＲＤａ，ＲＤｂ，ＲＤｃのうちの負荷ＲＤｂが接続された場合（ステップＳ１１）の動作を説明する。ここで、負荷ＲＤａの照明に必要な規定電流はＩａ、負荷ＲＤｂの規定電流はＩｂ、負荷ＲＤｃの規定電流はＩｃであり、Ｉａ＜Ｉｂ＜Ｉｃの関係があるとする。
【００３９】
電源ＥがＯＮされると負荷電流設定部７の最小負荷電流設定部３０が、負荷データ記憶部２０ａに記憶されている負荷電流Ｉ１の最も小さい電流Ｉａを負荷検出電流Ｉ’１として設定し（ステップＳ１２）、電圧信号Ｖｉ’１に変換（表１）して基準電圧設定部６に入力し、点灯制御を行なう（ステップＳ１３）。
【００４０】
このとき負荷ＲＤに生じた負荷検出電圧Ｖ’１が図５に示すＶｘ０とすると、このＶｘ０と負荷特定部４０の負荷データ記憶部２０ｂに保管されている各負荷の負荷検出電圧範囲Ｖ’２とを、負荷電流設定部７の負荷特定部４０は比較する。ステップＳ１１での前提から、図５においては負荷ＲＤｂのＶ’２（Ｖｂ０１〜Ｖｂ０２）内にＶｘ０が位置するので、負荷特定部４０は、接続されている負荷を負荷ＲＤｂと特定する（ステップＳ１４）。さらに、負荷特定部４０は、特定された負荷ＲＤｂの所定負荷電圧信号Ｖｉ１をＶｉＲＤｂと設定し、基準電圧設定部６に入力することで照明に必要な光を出力する点灯制御（負荷ＲＤｂの所定電流Ｉｂを供給）を行なう（ステップＳ１５）。
【００４１】
負荷電流設定部７の負荷検出電流Ｉ’１と負荷電流Ｉ１の電圧信号Ｖｉ’１とＶｉ１は、基準電圧設定部６により、それぞれＶｒｅｆ’１とＶｒｅｆ１の電圧信号に変換され、負荷電流制御部４の誤差演算回路２のＡｍｐ１に基準電圧Ｖｒｅｆ信号として入力される。
【００４２】
例えば、負荷検出電流Ｉ’１がＩｂのとき電圧信号Ｖｉ’ＲＤｂが基準電圧設定部６に入力され、基準電圧設定部６は基準電圧Ｖｉ’ｂに変換して負荷電流制御部４の誤差演算回路２のＡｍｐ１に入力する。図７は、電圧信号（Ｖｉ１，Ｖｉ’１）と基準電圧（Ｖｒｅｆ）の関係を示す。
【００４３】
誤差演算回路２は、負荷ＲＤに流れる電流を負荷電流検出部５（抵抗Ｒ１）で出力電流信号として検出され、増幅回路３で増幅された負荷電圧信号Ｖｒｄと基準電圧Ｖｒｅｆを比較し、その結果をＰＷＭ指令信号としてＰＷＭ信号発生回路１に入力する。
【００４４】
ＰＷＭ信号発生回路１は所定のＰＷＭ信号を発生させ、スイッチング素子ＳＷにオンオフ制御信号として供給し、出力調整を行なうようにフィードバック制御系を構成し負荷ＲＤに所定の定電流制御を行なう。
【００４５】
このように本実施形態の照明点灯装置によれば、異なる複数の負荷を１ユニットで自動制御できるので品種削減ができ低コスト化が図れる。また、自動制御することで工程作業が簡易になり工数削減が図れる。さらに、複数の負荷を１ユニットで制御できるので様々な灯体に展開でき汎用性が広がる。
【００４６】
（実施の形態２）
図８は、本実施の形態にかかる照明点灯装置を説明するための図であり、負荷の電圧降下Ｖ１と負荷検出電流Ｉ’１の関係を示す。実施の形態１では、最小電流Ｉａにより負荷の種類を特定したが、本実施の形態の照明点灯装置では、負荷電流設定部７の負荷検出電流Ｉ’１の電流設定を異なる複数の負荷の最小電流よりも小さい電流Ｉ’ｚにする。
【００４７】
発光ダイオードは、照明に必要な規定電流より少ない電流Ｉ’ｚを流した場合にも電圧降下が大きく変化しない特性を有し、電流Ｉ’ｚに対応する電圧降下のデータを参照すれば接続された負荷を特定することが可能である。電流を減らすことで、発光ダイオードの発熱が下がり、温度によるばらつきが少なくなり精度よく負荷を検出することが可能である。
【００４８】
（実施の形態３）
図９は、本実施の形態にかかる照明点灯装置の起動時の状態を説明するための図である。照明点灯装置を時間ｔ０に起動して、接続された負荷に負荷電流設定部７に記憶された複数の負荷の最小電流より小さい負荷検出電流Ｉ’１を流す。そして時間ｔ１までの間に、負荷の電圧降下である負荷検出電圧Ｖ’１を検出し、記憶されている負荷データを参照して負荷ＲＤを特定する。
【００４９】
このように本実施形態の照明点灯装置によれば、起動時に短時間だけ負荷に微小な電流を流して負荷を特定するので、負荷に応じた最適な電流を高速に設定することができる。また、微小な電流で負荷を特定するので消費電力を低減することができる。
【００５０】
図１０は、負荷電流設定部７で負荷検出電流Ｉ’１を複数負荷の最小電流より小さい少なくとも２水準の負荷検出電流（Ｉｚ１，Ｉｚ２）を設定し、各電流を通電したときの、負荷検出電圧Ｖ’１（Ｖα，Ｖβ）をそれぞれ記憶し、その２つの電圧値もしくは電圧変位量から負荷ＲＤを特定する場合を示す。図１１は、負荷検出電圧Ｖ１と負荷電流Ｉ’１の関係を示すグラフである。
【００５１】
このように本実施形態の照明点灯装置によれば、少なくとも２水準の負荷検出電流を通電することで、精度よく負荷を検出することが可能になる。特に異なる負荷ＲＤの順電圧Ｖ０が近接している場合により精度よく判別が可能になる。
【００５２】
（実施の形態４）
図１２は、本実施の形態にかかる照明点灯装置の概略構成を説明するための図である。本実施の形態の照明点灯装置は、負荷電圧検出部８の検出部が少なくとも２箇所からなり、一方が負荷ＲＤの両端電圧Ｖ０を検出（抵抗Ｒ２，Ｒ３）し、もう一方が１個以上のＬＥＤ素子をパッケージ化したＬＥＤ光源の両端電圧Ｖ２００を検出（Ｒ７）する。
【００５３】
そして、負荷ＲＤに負荷検出電流（Ｉ’１もしくはＩｚ）を供給し、各々の負荷検出電圧Ｖ’１とＶ’２００の電圧を、負荷電流設定部７の負荷特定部４０が、負荷データ記憶部２０に保管されているデータ（負荷検出電流を負荷に供給した際に生じる負荷の順電圧範囲）と比較し、負荷ＲＤを設定する。
【００５４】
図１３は、本実施の形態に適用される負荷ＲＤの構成を示す。すなわち、本実施の形態の負荷ＲＤは、直列接続されたＬＥＤ光源２００，２０１，２０２で構成され、各ＬＥＤ光源２００等は、直列接続されたＬＥＤ素子１００，１０１，１０２，１０３，１０４を有する。
【００５５】
このように本実施形態の照明点灯装置によれば、負荷全体の電圧Ｖ０とともに、１パッケージのＬＥＤ光源２００の両端電圧Ｖ２００をモニターすることで、検出される電圧のばらつき幅（ばらつきの総和の電圧）が小さくなり、より精度よく負荷を検出することが可能になる。
【００５６】
（実施の形態５）
図９，１０を参照して本実施の形態にかかる照明点灯装置を説明する。本実施の形態の照明点灯装置は、電源ＯＮ（時間ｔ０）から負荷検出電流Ｉ’１を供給して負荷を特定し、特定した負荷に照明に必要な負荷電流Ｉ１を供給する時間ｔ１を例えば１００ｍｓ以内に設定する。
【００５７】
負荷判定の時間を長くすれば負荷判定の確度があがるが、判定時間をとりすぎると点灯遅れにともない、夕暮れ時やトンネル進入時の走行安全性が損なわれる。したがって、負荷判定にかかる時間を短くすることでより安全性を向上することができる。
【００５８】
以上説明したように、本実施形態にかかる照明点灯装置によれば、異なる複数の負荷を１ユニットで制御できるので照明点灯装置の品種削減ができるとともに低コスト化が図れ、また負荷の検出を自動制御でき、工程作業が簡易になり、工数削減を図ることができる。
【００５９】
さらに、複数の負荷を１ユニットで制御できるので照明点灯装置の灯体レイアウト（取付）が共有でき、光源のレイアウトの幅が広がるので灯体への汎用性が向上し、灯体への設計負担の低減を図ることができる。また、精度よく負荷を検出することが可能である。
【００６０】
上述の実施の形態では、本発明の照明点灯装置をフライバックコンバータに適用した例を示したが、本発明の照明点灯装置はフライバックコンバータのみならず、種々のタイプの光源の点灯装置に適用可能である。
【００６１】
以上、本発明の各種実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【図面の簡単な説明】
【００６２】
【図１】本発明の実施の形態１にかかるフライバックコンバータ構成の照明点灯装置の概略構成を説明するための図
【図２】本発明の実施の形態１にかかる負荷電流設定部７の概略構成を説明するための図
【図３】本発明の実施の形態１にかかる照明点灯装置に接続可能な異なる複数の負荷の例を示す図
【図４】本発明の実施の形態１において照明に必要な光を出力するための各負荷電流Ｉ１と負荷検出電圧Ｖ１の関係を示す図
【図５】本発明の実施の形態１において負荷検出電圧Ｖ’１と負荷データ記憶部２０ｂのＶ’２の関係を示す図
【図６】本発明の実施の形態１にかかる照明点灯装置の動作を説明するためのフローチャート
【図７】本発明の実施の形態１において電圧信号（Ｖｉ１，Ｖｉ’１）と基準電圧（Ｖｒｅｆ）の関係を示す図
【図８】本発明の実施の形態２にかかる照明点灯装置を説明するために負荷の電圧降下Ｖ１と負荷検出電流Ｉ’１の関係を示す図
【図９】本発明の実施の形態３および実施の形態５において照明点灯装置の起動時の状態を説明するための図（１）
【図１０】本発明の実施の形態３および実施の形態５において照明点灯装置の起動時の状態を説明するための図（２）
【図１１】本発明の実施の形態３において負荷検出電圧Ｖ１と負荷電流Ｉ’１の関係を示すグラフ
【図１２】本発明の実施の形態４にかかる照明点灯装置の概略構成を説明するための図
【図１３】本発明の実施の形態４に適用される負荷ＲＤの構成を示す図
【符号の説明】
【００６３】
１  ＰＷＭ信号発生回路
２  誤差演算回路
３  増幅回路
４  負荷電流制御部
５  負荷電流検出部
６  基準電圧設定部
７  負荷電流設定部
８  負荷電圧検出部
２０ａ，２０ｂ  負荷データ記憶部
３０  最小負荷電流設定部
４０  負荷特定部
１００，１０１，１０２，１０３，１０４  ＬＥＤ素子
２００，２０１，２０２  ＬＥＤ光源
【図１】
0005311624.tif 000004
【図２】
0005311624.tif 000005
【図３】
0005311624.tif 000006
【図４】
0005311624.tif 000007
【図５】
0005311624.tif 000008
【図６】
0005311624.tif 000009
【図７】
0005311624.tif 000010
【図８】
0005311624.tif 000011
【図９】
0005311624.tif 000012
【図１０】
0005311624.tif 000013
【図１１】
0005311624.tif 000014
【図１２】
0005311624.tif 000015
【図１３】
0005311624.tif 000016